【事件の表示】
　特許第２８８９５５６号「ワゴン用天板の昇降金具」の請求項１に係る特許に対する特許異議の申立てについて、次のとおり決定する。
【結　論】
　訂正を認める。
　本件特許異議の申立てを却下する。
【理　由】
１．手続の経緯
　本件特許第２８８９５５６号の請求項１ないし７に係る発明についての出願は、平成１０年２月２７日（国内優先日平成９年７月１７日）に出願され、平成１１年２月１９日にその特許の設定登録がなされ、その後、平成１１年１１月８日に小松榮一より特許異議の申立てがなされ、取消理由通知がなされ、その指定期間内である平成１２年１１月２０日に訂正請求がなされたものである。
２．訂正の適否についての判断
２−１　訂正請求の訂正の内容
　特許権者が求めている訂正は、明細書の特許請求の範囲を減縮することを目的として特許請求の範囲を訂正し、明りょうでない記載の釈明、誤記の訂正を目的として発明の詳細な説明を訂正しようとするものであって、その訂正の内容は次のとおりである。
（１）訂正事項１：特許請求の範囲の請求項１ないし７のうち、請求項１を削除し、請求項４を新たな請求項１とし、請求項５以降の項数を繰り上げて訂正する。
　つまり、明細書の特許請求の範囲の
「【特許請求の範囲】
【請求項１】ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構と、上記昇降部材の上端に備えられ係止部材と連結されて係止部材の出没を操作する昇降レバーとから構成され、この昇降レバーは、昇降部材を上昇させるときに係止部材の出没との連動が解除されるように係止部材に連結されているワゴン用天板の昇降金具。
【請求項２】前記係止部材と昇降レバーとが、垂直方向に向かう長孔と、この長孔内をスライド可能に組付けされる連結ピンとによって連結されている請求項１記載のワゴン用天板の昇降金具。
【請求項３】前記係止部材と昇降レバーとは、昇降部材の垂直方向に延びる連結バーを介して連結され、この連結バーの一端に前記長孔が穿設されている請求項２記載のワゴン用天板の昇降金具。
【請求項４】前記昇降レバーが、昇降部材内に形成された案内面に沿って昇降する請求項１〜３のいずれかに記載のワゴン用天板の昇降金具。
【請求項５】ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構とから構成され、上記ワゴン本体の上板には、昇降部材の昇降を案内するとともに昇降レバーの把持可能な高さで天板の降下を規制するガイド部材が取付けされているワゴン用天板の昇降金具。
【請求項６】前記係止部材は、水平方向に出没して係止孔に係止する係止爪と、この係止爪と昇降部材とを連結する連結部材とから成り、係止爪と連結部材との間には、上端外方に向かうガイド長孔と、このガイド長孔に係入して組付けされるガイドピンとが設けられ、このガイドピンがガイド長孔内をスライドすることにより係止爪が水平方向に出没自在となる請求項１又は５記載のワゴン用天板の昇降金具。
【請求項７】前記係止爪には、前記係止孔の周縁に当接して水平方向への没入を案内する案内面が下端外方に向かって形成されている請求項６記載のワゴン用天板の昇降金具。」を、
「【特許請求の範囲】
【請求項１】ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構と、上記昇降部材の上端に備えられ係止部材と連結されて係止部材の出没を操作する昇降レバーとから構成され、この昇降レバーは、昇降部材内に形成された案内面に沿って昇降し、かつ、昇降部材を上昇させるときに係止部材の出没との連動が解除されるように係止部材に連結されているワゴン用天板の昇降金具。
【請求項２】前記係止部材と昇降レバーとが、垂直方向に向かう長孔と、この長孔内をスライド可能に組付けされる連結ピンとによって連結されている請求項１記載のワゴン用天板の昇降金具。
【請求項３】前記係止部材と昇降レバーとは、昇降部材の垂直方向に延びる連結バーを介して連結され、この連結バーの一端に前記長孔が穿設されている請求項２記載のワゴン用天板の昇降金具。
【請求項４】ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構とから構成され、上記ワゴン本体の上板には、昇降部材の昇降を案内するとともに昇降レバーの把持可能な高さで天板の降下を規制するガイド部材が取付けされているワゴン用天板の昇降金具。
【請求項５】前記係止部材は、水平方向に出没して係止孔に係止する係止爪と、この係止爪と昇降部材とを連結する連結部材とから成り、係止爪と連結部材との間には、上端外方に向かうガイド長孔と、このガイド長孔に係入して組付けされるガイドピンとが設けられ、このガイドピンがガイド長孔内をスライドすることにより係止爪が水平方向に出没自在となる請求項１又は４記載のワゴン用天板の昇降金具。
【請求項６】前記係止爪には、前記係止孔の周縁に当接して水平方向への没入を案内する案内面が下端外方に向かって形成されている請求項５記載のワゴン用天板の昇降金具。」
と訂正する。
（２）訂正事項２：特許第２８８９５５６号の明細書の段落【００１１】の「【００１１】【課題を解決するための手段】上記課題を解決するため、本発明は、ワゴン本体に垂直方向に固定される案内部材と、上端に天板が水平方向に取付けされ案内部材に沿って垂直方向に昇降する昇降部材と、この昇降部材を案内部材の任意の位置で係止させる係止部材を有するラッチ機構と、昇降部材の上端に備えられ係止部材と連結されて係止部材の出没を操作する昇降レバーとから構成され、この昇降レバーは、昇降部材を上昇させるときに係止部材の出没との連動が解除されるように係止部材に連結されている。」の記載を、「【００１１】【課題を解決するための手段】上記課題を解決するため、本発明は、ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構と、上記昇降部材の上端に備えられ係止部材と連結されて係止部材の出没を操作する昇降レバーとから構成され、この昇降レバーは、昇降部材内に形成された案内面に沿って昇降し、かつ、昇降部材を上昇させるときに係止部材の出没との連動が解除されるように係止部材に連結されている。」と訂正する。
（３）訂正事項３：特許第２８８９５５６号の明細書の段落【００１２】の「【００１２】この手段によれば、天板は、昇降レバーを操作して係止部材を没入させることにより、昇降部材の昇降を介して昇降可能とされる。一方、昇降レバーは、昇降部材を上昇させるときに係止部材の出没との連動が解除されるようにして係止部材と連結されていることから、天板を把持して昇降部材を上昇させても、昇降レバーは上下方向へのスライドの解除された状態が形成される。」の記載を、「【００１２】この手段によれば、天板は、昇降レバーを操作して係止部材を没入させることにより、昇降部材の昇降を介して昇降可能とされる。一方、昇降レバーは、昇降部材を上昇させるときに係止部材の出没との連動が解除されるようにして係止部材と連結されていることから、天板を把持して昇降部材を上昇させても、昇降レバーは上下方向へのスライドの解除された状態が形成される。また、昇降レバーの操作時に昇降部材の昇降する方向に交差するような力が加わっても、昇降レバーは、案内面に沿って垂直方向に操作される。」と訂正する。
（４）訂正事項４：特許第２８８９５５６号の明細書の段落【００４３】の第７行目から第８行目の「切欠片６３０」を、誤記の訂正を目的として「切欠片６３１」と訂正する。
２−２　訂正の適否について
（１）上記訂正事項１は、特許請求の範囲の減縮を目的とし、上記訂正事項２、３は、特許請求の範囲との整合をとるために、発明の詳細な説明の記載の明りょうでない記載を明確にしたものであるから、明りょうな記載の釈明を目的とし、さらに上記訂正事項４は、明細書中の明らかな誤記を訂正することを目的とするものであるから、上記訂正事項１ないし４は、特許法第１２０条の４第２項のただし書きの要件を満たすものと認められる。
（２）次に、上記訂正事項１ないし３は、願書に添付した明細書に記載した事項の範囲内であり、また上記訂正事項４は、願書に最初に添付した明細書に記載した事項の範囲内であり、さらに上記訂正事項１ないし４は、実質上特許請求の範囲を拡張し、変更するものでもないことから、特許法第１２０条の４第３項で準用する特許法第１２６条第２項および第３項の要件を満たすものであると認められる。
（３）次に、訂正後の特許請求の範囲の請求項１ないし６に記載された発明は、出願の際独立して特許を受けることができるものであるから、特許法第１２０条の４第３項で準用する特許法第１２６条第４項の要件を満たすものであると認められる。
２−３　むすび
　以上のとおりであるから、上記訂正を認める。
３．特許異議の申立てについての判断
　訂正の結果、特許異議の申立ての対象であった特許明細書の特許請求の範囲の請求項１は実質的に削除され、特許異議の申立ての対象が存在しなくなった。
　よって、結論のとおり決定する。
【異議決定日】
平成１２年１２月２７日（２０００．１２．２７）
【訂正の要旨】
訂正の要旨
訂正事項１：特許請求の範囲の請求項１ないし７のうち、請求項１を削除し、請求項４を新たな請求項１とし、請求項５以降の項数を繰り上げて訂正する。
つまり、特許明細書の特許請求の範囲の
「【特許請求の範囲】
　【請求項１】ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構と、上記昇降部材の上端に備えられ係止部材と連結されて係止部材の出没を操作する昇降レバーとから構成され、この昇降レバーは、昇降部材を上昇させるときに係止部材の出没との連動が解除されるように係止部材に連結されているワゴン用天板の昇降金具。
　【請求項２】前記係止部材と昇降レバーとが、垂直方向に向かう長孔と、この長孔内をスライド可能に組付けされる連結ピンとによって連結されている請求項１記載のワゴン用天板の昇降金具。
　【請求項３】前記係止部材と昇降レバーとは、昇降部材の垂直方向に延びる連結バーを介して連結され、この連結バーの一端に前記長孔が穿設されている請求項２記載のワゴン用天板の昇降金具。
　【請求項４】前記昇降レバーが、昇降部材内に形成された案内面に沿って昇降する請求項１〜３のいずれかに記載のワゴン用天板の昇降金具。
　【請求項５】ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構とから構成され、上記ワゴン本体の上板には、昇降部材の昇降を案内するとともに昇降レバーの把持可能な高さで天板の降下を規制するガイド部材が取付けされているワゴン用天板の昇降金具。
　【請求項６】前記係止部材は、水平方向に出没して係止孔に係止する係止爪と、この係止爪と昇降部材とを連結する連結部材とから成り、係止爪と連結部材との間には、上端外方に向かうガイド長孔と、このガイド長孔に係入して組付けされるガイドピンとが設けられ、このガイドピンがガイド長孔内をスライドすることにより係止爪が水平方向に出没自在となる請求項１又は５記載のワゴン用天板の昇降金具。
　【請求項７】前記係止爪には、前記係止孔の周縁に当接して水平方向への没入を案内する案内面が下端外方に向かって形成されている請求項６記載のワゴン用天板の昇降金具。」を、
「【特許請求の範囲】
　【請求項１】ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構と、上記昇降部材の上端に備えられ係止部材と連結されて係止部材の出没を操作する昇降レバーとから構成され、この昇降レバーは、昇降部材内に形成された案内面に沿って昇降し、かつ、昇降部材を上昇させるときに係止部材の出没との連動が解除されるように係止部材に連結されているワゴン用天板の昇降金具。
　【請求項２】前記係止部材と昇降レバーとが、垂直方向に向かう長孔と、この長孔内をスライド可能に組付けされる連結ピンとによって連結されている請求項１記載のワゴン用天板の昇降金具。
　【請求項３】前記係止部材と昇降レバーとは、昇降部材の垂直方向に延びる連結バーを介して連結され、この連結バーの一端に前記長孔が穿設されている請求項２記載のワゴン用天板の昇降金具。
　【請求項４】ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構とから構成され、上記ワゴン本体の上板には、昇降部材の昇降を案内するとともに昇降レバーの把持可能な高さで天板の降下を規制するガイド部材が取付けされているワゴン用天板の昇降金具。
　【請求項５】前記係止部材は、水平方向に出没して係止孔に係止する係止爪と、この係止爪と昇降部材とを連結する連結部材とから成り、係止爪と連結部材との間には、上端外方に向かうガイド長孔と、このガイド長孔に係入して組付けされるガイドピンとが設けられ、このガイドピンがガイド長孔内をスライドすることにより係止爪が水平方向に出没自在となる請求項１又は４記載のワゴン用天板の昇降金具。
　【請求項６】前記係止爪には、前記係止孔の周縁に当接して水平方向への没入を案内する案内面が下端外方に向かって形成されている請求項５記載のワゴン用天板の昇降金具。」
と訂正する。
訂正事項２：特許第２８８９５５６号の明細書の段落【００１１】の「【００１１】【課題を解決するための手段】上記課題を解決するため、本発明は、ワゴン本体に垂直方向に固定される案内部材と、上端に天板が水平方向に取付けされ案内部材に沿って垂直方向に昇降する昇降部材と、この昇降部材を案内部材の任意の位置で係止させる係止部材を有するラッチ機構と、昇降部材の上端に備えられ係止部材と連結されて係止部材の出没を操作する昇降レバーとから構成され、この昇降レバーは、昇降部材を上昇させるときに係止部材の出没との連動が解除されるように係止部材に連結されている。」の記載を、
「【００１１】【課題を解決するための手段】上記課題を解決するため、本発明は、ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構と、上記昇降部材の上端に備えられ係止部材と連結されて係止部材の出没を操作する昇降レバーとから構成され、この昇降レバーは、昇降部材内に形成された案内面に沿って昇降し、かつ、昇降部材を上昇させるときに係止部材の出没との連動が解除されるように係止部材に連結されている。」
と訂正する。
訂正事項３：特許第２８８９５５６号の明細書の段落【００１２】の「【００１２】この手段によれば、天板は、昇降レバーを操作して係止部材を没入させることにより、昇降部材の昇降を介して昇降可能とされる。一方、昇降レバーは、昇降部材を上昇させるときに係止部材の出没との連動が解除されるようにして係止部材と連結されていることから、天板を把持して昇降部材を上昇させても、昇降レバーは上下方向へのスライドの解除された状態が形成される。」の記載を、
「【００１２】この手段によれば、天板は、昇降レバーを操作して係止部材を没入させることにより、昇降部材の昇降を介して昇降可能とされる。一方、昇降レバーは、昇降部材を上昇させるときに係止部材の出没との連動が解除されるようにして係止部材と連結されていることから、天板を把持して昇降部材を上昇させても、昇降レバーは上下方向へのスライドの解除された状態が形成される。また、昇降レバーの操作時に昇降部材の昇降する方向に交差するような力が加わっても、昇降レバーは、案内面に沿って垂直方向に操作される。」
と訂正する。
訂正事項４：特許第２８８９５５６号の明細書の段落【００４３】の第７行目から第８行目の「切欠片６３０」を、
誤記の訂正を目的として「切欠片６３１」と訂正する。
（５４）【発明の名称】
ワゴン用天板の昇降金具
（５７）【特許請求の範囲】
　【請求項１】　ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構と、上記昇降部材の上端に備えられ係止部材と連結されて係止部材の出没を操作する昇降レバーとから構成され、この昇降レバーは、昇降部材内に形成された案内面に沿って昇降し、かつ、昇降部材を上昇させるときに係止部材の出没との連動が解除されるように係止部材に連結されているワゴン用天板の昇降金具。
　【請求項２】　前記係止部材と昇降レバーとが、垂直方向に向かう長孔と、この長孔内をスライド可能に組付けされる連結ピンとによって連結されている請求項１記載のワゴン用天板の昇降金具。
　【請求項３】　前記係止部材と昇降レバーとは、昇降部材の垂直方向に延びる連結バーを介して連結され、この連結バーの一端に前記長孔が穿設されている請求項２記載のワゴン用天板の昇降金具。
　【請求項４】　ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構とから構成され、上記ワゴン本体の上板には、昇降部材の昇降を案内するとともに昇降レバーの把持可能な高さで天板の降下を規制するガイド部材が取付けされているワゴン用天板の昇降金具。
　【請求項５】　前記係止部材は、水平方向に出没して係止孔に係止する係止爪と、この係止爪と昇降部材とを連結する連結部材とから成り、係止爪と連結部材との間には、上端外方に向かうガイド長孔と、このガイド長孔に係入して組付けされるガイドピンとが設けられ、このガイドピンがガイド長孔内をスライドすることにより係止爪が水平方向に出没自在となる請求項１又は４記載のワゴン用天板の昇降金具。
　【請求項６】　前記係止爪には、前記係止孔の周縁に当接して水平方向への没入を案内する案内面が下端外方に向かって形成されている請求項５記載のワゴン用天板の昇降金具。
【発明の詳細な説明】
　【０００１】
　【発明の属する技術分野】
　本発明は、学習机の脇，キッチン等に配設して使用されるワゴンに好適なワゴン用天板の昇降金具に関する。
　【０００２】
　【従来の技術】
　近年の学習机等は、引出し部を机本体と別体にしたワゴンにする構成が採用されている。このようなワゴンは、常時は机本体の天板の下方スペースに収納され、デスク作業時に机本体の天板の下方スペースからキャスター等を介して引出し、ワゴンの天板を机本体の天板とともに作業面として使用することができる。
　【０００３】
　しかしながら、このようなワゴンの天板は、収納のために机本体の天板よりも低い高さにあり、机本体の天板とワゴンの天板とに大きな段差が生じることとなって、前屈みの姿勢になる必要がある等快適な作業を行うのは困難であった。
　【０００４】
　このような不都合を回避すべく、天板を机本体の天板と同一の高さまで昇降可能にするワゴンが開発されている。例えば、図１４に示すように、ワゴン９０は、昇降可能な天板９１と、上板９２と、天板９１を上板９２上で昇降させるリンク機構９３とから構成される。使用に際しては、常時は天板９１を降下させ机本体（図示省略）下方に収納する一方、作業時にはリンク機構９３で机本体の天板と同一の高さまで上昇させ、机本体の天板とともに広い平坦な作業面を形成することができる。
　【０００５】
　【発明が解決しようとする課題】
　ところで、上述した従来のワゴン９０による天板昇降は、リンク機構９３で天板９１の高さを調整することにより、天板９１を下限位置と上限位置とにしか高さ調整することができず、自在な高さ調整が好適なワゴン（例えば、キッチンワゴン等）に採用することが困難であるという問題があった。
　【０００６】
　また、上昇させた天板９１と上板９２との間にはリンク機構９３が介在することになるので、上板９２と天板９１との間に形成される空間を利用することが困難になるという問題があった。また、図１４に示すようなリンク機構９３では天板９１が円弧を描いて上昇し、上昇時の天板９１の位置は下降時より水平方向に位置ずれを起こすことになるので、美観上好ましくないばかりか、不安定な状態となって天板９１上への荷重量が制限されるという問題があった。
　【０００７】
　さらに、リンク機構９３を採用した場合には、天板９１の固定状態を保持するためのストッパー機構（図示しない）が介在することもあるが、これでは複数の機構を有する複雑な機構となってしまい、昇降操作が面倒となるばかりか、部材点数が多くなってコストも高くなるという問題があった。
　【０００８】
　ここで、ガススプリング等の流体圧シリンダを利用し、シリンダ本体をワゴン本体の上下方向に貫通した状態で取付けする等して天板を昇降させる構成を採用することで、上記問題点のうち、天板の水平方向への突出，高さ調整位置の制限の２点について解消可能である。しかしながら、このような構成は、シリンダ本体がワゴン内のスペースを制約することになり、引出し等の取付けスペースを十分に確保することができないという問題があった。
　【０００９】
　また、流体圧シリンダを利用する代わりに、天板に近接して設けられた操作部を操作してワゴン本体内に設けられた案内部材に案内される昇降部材を昇降させる構成も開示されているが、この場合には、昇降部材が案内部材から抜出すことにより天板がワゴンから脱落する可能性があるとともに、天板の昇降時に天板を把持する手指が、天板とワゴン本体との間に挟まれてしまう危険性があった。
　【００１０】
　本発明は、このような事情に対処してなされたもので、簡単で、しかも安全性を有する機構で天板の昇降を可能とし、作業性の向上とコストの削減を図ることを目的とする。
　【００１１】
　【課題を解決するための手段】
　上記課題を解決するため、本発明は、ワゴン本体に垂直方向に固定される案内部材と、上端に天板が水平方向に取付けされ上記案内部材に沿って垂直方向に昇降する昇降部材と、この昇降部材を上記案内部材の任意の位置で係止させる係止部材を有するラッチ機構と、上記昇降部材の上端に備えられ係止部材と連結されて係止部材の出没を操作する昇降レバーとから構成され、この昇降レバーは、昇降部材内に形成された案内面に沿って昇降し、かつ、昇降部材を上昇させるときに係止部材の出没との連動が解除されるように係止部材に連結されている。
　【００１２】
　この手段によれば、天板は、昇降レバーを操作して係止部材を没入させることにより、昇降部材の昇降を介して昇降可能とされる。一方、昇降レバーは、昇降部材を上昇させるときに係止部材の出没との連動が解除されるようにして係止部材と連結されていることから、天板を把持して昇降部材を上昇させても、昇降レバーは上下方向へのスライドの解除された状態が形成される。また、昇降レバーの操作時に昇降部材の昇降する方向に交差するような力が加わっても、昇降レバーは、案内面に沿って垂直方向に操作される。
　【００１３】
　また、本発明は、係止部材と昇降レバーとが、垂直方向に向かう長孔と、この長孔内をスライド可能に組付けされる連結ピンとによって連結されている。また、係止部材と昇降レバーとは、昇降部材の垂直方向に延びる連結バーを介して連結され、この連結バーの一端に前記長孔が穿設されている。
　【００１４】
　この手段によれば、連結ピンを長孔の上縁部に当接させて昇降レバーを引上げると係止部材が没入し、昇降部材が昇降可能とされる。一方、係止部材が案内部材に押圧されて没入するときには、連結ピンが長孔内をスライドするだけで、昇降レバーは係止部材の没入に連動して上下方向にスライドすることはない。
　【００１５】
　また、本発明は、ワゴン本体に垂直方向に固定される案内部材と、上端に天板が水平方向に取付けされ案内部材に沿って垂直方向に昇降する昇降部材と、この昇降部材を案内部材の任意の位置で係止させる係止部材を有するラッチ機構とから構成され、ワゴン本体の上板には、昇降部材の昇降を案内するとともに昇降レバーの把持可能な高さで天板の降下を規制するガイド部材が取付けされている。
　【００１６】
　この手段によれば、昇降部材は、案内部材の上端から突出した部分についても昇降が案内されるとともに、天板はガイド部材の高さで降下が規制され、昇降レバーを把持するための空間が確保される。
　【００１７】
　また、本発明に係るワゴン用天板の昇降金具は、係止部材が、水平方向に出没して係止孔に係止する係止爪と、この係止爪と昇降部材とを連結する連結部材とから成り、係止爪と連結部材との間には、上端外方に向かうガイド長孔と、このガイド長孔に係入して組付けされるガイドピンとが設けられ、このガイドピンがガイド長孔内をスライドすることにより係止爪が水平方向に出没自在となる。
　【００１８】
　この手段によれば、ガイドピンで組付けされた係止爪と連結部材とは、ガイドピンが上端外方に向かって穿設されるガイド長孔内を一端から他端にスライドすることにより、ガイドピンはガイド長孔の周縁部に当接して垂直方向へのスライドが規制される。したがって、係止爪は垂直方向へのスライドが規制されて水平方向へのスライドに転換され、水平方向に出没自在となる。
　【００１９】
　さらに、本発明に係るワゴン用天板の昇降金具は、係止爪について、前記係止孔の周縁に当接して水平方向への没入を案内する案内面が下端外方に向かって形成されている。
　【００２０】
　この手段によれば、係止爪は、天板を上方に引き上げようとすると案内面に係止孔の周縁が当接し、押圧されて水平方向に没入するので、天板を上方へ持ち上げる際には、係止爪の係止孔への係止状態を解除することなく、昇降部材は上昇可能とされる。
　【００２１】
　【発明の実施の形態】
　以下、本発明の一実施の形態を図１〜図１０に基づいて説明する。
　本実施の形態におけるワゴン用天板の昇降金具（以下「昇降金具」という）１０は、ワゴン本体２０に垂直方向に固定される案内部材５０と、上端に天板３０が水平方向に取付けされ案内部材５０に沿って垂直方向に昇降する昇降部材６０と、案内部材５０と昇降部材６０とのラッチ機構を形成する係止部材７０と、ワゴン本体２０の上板２４に固定されるガイド部材８０とから概略構成される。
　【００２２】
　ワゴン本体２０は、学習机の脇に配設するのに好適なタイプで、前方へ引出し可能な引出し２１，２２，２３を備えてなる。また、天板３０は、ワゴン本体２０の上板２４と略同サイズに形成されている。ワゴン本体２０の上板２４の昇降金具１０の昇降位置には、ワゴン本体２０内側から昇降部材６０を昇降可能にするための凹部２６が穿設されている。なお、ワゴン本体２０には、設置位置の移動を可能とするため、底面に複数個のキャスター２８が取付けされている。
　【００２３】
　案内部材５０は、図２に示すように、薄型に成形され断面略々Ｃ字形を呈して垂直方向に延設されており、垂直方向両端は昇降部材６０の昇降可能な大きさに開放されている。案内部材５０の側面５１には、垂直方向にわたって複数の係止孔５５が穿設されている。この係止孔５５は、天板３０の水平状態が維持されていることを昇降作業時に作業者自身が判断できるように、各孔のピッチ間隔を長めにしておくのが好適である。また、案内部材５０の底面５２には、抜止め孔５６が穿設されている。そして、案内部材５０の側面５１，底面５２の内面５４はワゴン本体２０の内壁２５１と相まって昇降部材６０の案内面を構成する。なお、両側面５１の端部からは案内部材５０のワゴン本体２０への取付けを可能にするフランジ部５８が延設されており、このフランジ部５８にはネジ止め用の貫通孔５９が設けられている。
　【００２４】
　昇降部材６０は、図３に示すように、案内部材５０の内面５４に沿って昇降可能な外形を有するハウジング６１と、ハウジング６１の上端から突出し天板３０の下面に近接する昇降レバー６２と、昇降レバー６２と係止部材７０とが連結されるとともにハウジング６１と弾性部材６４を介して付勢自在に連結される連結バー６３と、ハウジング６１の下端でハウジング６１の側壁から水平方向に突出し案内部材５０の係止孔５５に係止するとともに昇降レバー６２の引上げにより連結バー６３を介して弾性部材６４の付勢が解除されて没入する係止部材７０とから概略構成される。
　【００２５】
　ハウジング６１は、一組の断面略コ字形を呈するハウジング部材６１ａ，６１ｂを組合わせてなり、ハウジング部材６１ａ，６１ｂともに下端側の両側片６１０に係止爪７１の突出孔６１２が形成されている。この突出孔６１２よりも下方には、延設部６１３を設けることができる。また、ハウジング部材６１ａには、係止部材７０の取付けを可能とする嵌挿孔６１４が突出孔６１２の近傍に穿設され、また上端には昇降レバー６２が嵌挿可能な昇降レバー嵌挿孔６１５が穿設されている。一方、ハウジング部材６１ｂの底片６１１には、傾斜する案内面６１６ａと抜止め孔５６との係止面６１６ｂとから成る板バネ状の抜止め片６１６が、下端側に形成されている。
　【００２６】
　昇降レバー６２は、ハウジング６１の上端において昇降レバー嵌挿孔６１５に嵌挿可能なレバー基部６２０から天板３０の周縁部に向かって突出して設けられている。また、連結バー６３は、ハウジング６１内を垂直方向にわたる長さに形成されており、レバー基部６２０から下方に延設され、下端６３ｂは係止部材７０と連結されている。連結バー６３の垂直方向略中央では、ハウジング部材６１ｂとの間で弾性部材６４を介して連結されている。なお、昇降レバー６２の僅かに上方には、天板３０を昇降金具１０に固定するための天板支持部材Ｂが水平方向に向かって取付けされている。
　【００２７】
　係止部材７０は、図３に示すように、他端６３ｂに昇降レバー６２の垂直方向へのスライドに合わせて係止爪７１の出没を可能にするガイドピン７２が連結バー６３と交差する連結部材７２０の両側に突設されている。この連結部材７２０の幅方向略中央には連結バー６３と交差状態で連結するための貫通孔７２１が穿設されている。係止爪７１には、ガイドピン７２が係入するガイド長孔７５が上端外方に向けて穿設され、また、下端外方に向かう案内面７１０と、係止孔５５に係止する係止面７１１が形成されている。係止爪７１は、ガイド長孔７５にガイドピン７２を係入させた後、係止爪支持部材７３の長孔７３０にガイドピン７２を係入させて組付けられている。なお、係止爪支持部材７３にはハウジング部材６１ａの嵌挿孔６４に嵌挿する突起７３１が対応位置に突設されている。
　【００２８】
　ガイド部材８０は、天板３０を上昇させた際にワゴン本体２０内から突出した昇降部材６０の昇降を案内して振動を防止するとともに、昇降レバー６２を把持可能な高さまでで天板３０の降下を規制するもので、昇降部材６０の側片６１０と底片６１１に沿うガイド面８１ａの形成された平面視コ字形のガイド部８１を有し、昇降レバー６２の把持部６２１を把持可能な高さに形成されている。ガイド部材８０は、ワゴン本体２０の上板２４において昇降部材６０の昇降位置に穿設された凹部２６の縁部に位置決め部８２を当接させて位置決め固定する。なお、ガイド面８１ａの昇降部材６０の底片６１１と接する面には、昇降部材６０をガイド部材８０の上端から案内部材５０に差込む際に、又はワゴン本体２０から天板３０を昇降部材６０ごと取外しする際に、抜止め片６１６を付勢状態のまま差込み又は取外しを可能にするための溝を穿設することができる。
　【００２９】
　次に、昇降金具１０の使用方法について説明する。
　まず、一対の昇降金具１０について、それぞれ案内部材５０のフランジ部５８をワゴン本体２０の両側板２５の内壁２５１に当接させ、貫通孔５９に向けてネジを挿通し、案内部材５０をワゴン本体２０に固定する。このとき、案内部材５０は、ワゴン本体２０の上板２４の凹部２６から昇降部材６０が昇降可能な位置に固定する。一方、昇降部材６０は、ハウジング部材６１ｂ内に連結バー６３を収納し、さらに係止部材７０をハウジング部材６１ｂの突出孔６１２から係止爪７１の突出した状態で連結バー６３の下端６３ｂに組付けした後、ハウジング部材６１ａをハウジング部材６１ｂに組付ける。昇降レバー６２の上方には、水平方向に延びる天板支持部材Ｂに天板３０を固定し、この状態でワゴン本体２０に固定された案内部材５０の上端から昇降部材６０の下端側を挿通すると、ワゴン本体２０に天板３０が取付けされた状態となる。
　【００３０】
　天板３０を上昇させる場合は、天板３０の引上げにより、係止爪７１の案内面７１０が案内部材５０の係止孔５５の周縁に当接・押圧され、係止爪７１がハウジング６１の内側に向かって押圧される（図７）。このとき、ガイドピン７２は係止爪７１のガイド長孔７５および係止爪支持部材７３の長孔７３０の下端に位置していたのが、係止爪７１の内側水平方向への押圧によっていずれも上端側にスライドし、弾性部材６４の付勢力に抗して自動的に昇降レバー６２が引上げられる（図８）。したがって、昇降部材６０は係止状態が解除され、天板３０は上昇可能となる。所望の高さまで天板３０を引上げて案内部材５０の係止孔５５と昇降部材６０の突出孔６１２が水平方向に並ぶと、反対に、弾性部材６４の付勢力によって係止爪７１のガイド長孔７５および係止爪支持部材７３の長孔７３０の上端側に位置したガイドピン７２がいずれも下端側にスライドし、自動的に昇降レバー６２が下げられた状態となる。したがって、案内部材５０の係止孔５５に向かって係止爪７１が突出孔６１２から突出し、係止面７１１が係止孔５５の周縁に係止して昇降部材６０は位置決めされ、天板３０の高さが固定される。
　【００３１】
　なお、昇降部材６０を上昇させると、常態では昇降部材６０の抜止め片６１６の案内面６１６ａが案内部材の内面５４に押圧されているが、抜止め孔５６の位置までくると、案内面６１６ａへの押圧が解除され、抜止め片６１６は突出し、係止面６１６ｂが抜止め孔５６の縁部に係止して、昇降部材６０が案内部材５０の上端から抜出るのが規制される。すなわち、この抜止め片６１６の係入した高さが天板３０の上限位置となる。昇降部材６０が天板３０の上限位置まで近づいた場合、昇降部材６０の延設部６１３が案内部材５０内にあり、またガイド部材８０のガイド面８１ａが案内部材５０から抜出た昇降部材６０のハウジング６１に当接しているため、天板３０の昇降時および固定時の振動が規制される。
　【００３２】
　一方、天板３０を降下させる場合、天板３０の周縁部を把持すると同時に昇降レバー６２を引上げると、弾性部材６４の付勢力に抗してガイドピン７２がガイド長孔７５および長孔７３０内を上端側にスライドすることになり、係止爪７１がハウジング６１内に没入して昇降部材６０の降下が可能になる。このとき、天板３０が上限位置にあっても、昇降部材６０を降下させようとすると、抜止め片６１６の案内面６１６ａが抜止め孔５６の周縁部に当接して押圧されるので、抜止め片６１６を容易に没入させることができる。そして、上記上昇動作と同様に所望の高さまで天板３０を降下させると、係止爪７１が突出し、昇降部材６０の降下が規制される。なお、昇降部材６０を降下させると、天板支持部材Ｂがガイド部材８０に当接し、昇降レバー６２が昇降レバー嵌挿孔６１５に嵌挿して、天板３０の降下が規制される。すなわち、この状態が天板３０の下限位置となる。
　【００３３】
　なお、本実施の形態による昇降金具１０をワゴン本体２０に取付けした場合、ワゴン本体２０の引出し２１，２２，２３については、例えば、図１０に示すように、案内部材５０の底面５２に沿ってレールＲをワゴン本体２０内の前後方向にわたって取付けし、このレールＲにローラＲ１が支持されるようにして引出し２１，２２，２３を収納させることができる。これにより、各引出しの収納空間は、薄型成形の案内部材５０の厚み分だけ各引出しの幅を狭めれば足りる。したがって、薄型の案内部材５０によれば、ワゴン本体２０内のスペースを殆ど利用することなく昇降部材６０を設置することができ、引出し２１，２２，２３の取付けスペースを削減することなく、収納スペースを確保することができる。
　【００３４】
　本実施の形態によれば、ワゴン本体２０上に配設された天板３０は、ワゴン本体２０の側板２５の内壁２５１に固定された案内部材５０の内面５４に沿って昇降部材６０を垂直方向に昇降させ、案内部材５０の係止孔５５に係止部材７０の係止爪７１を係止させることにより多段階で天板３０の高さを調整することができる。したがって、学習机であれば机本体の天板と同一の高さまで天板３０を引上げて作業面を広くすることができ、パソコン等を机本体の天板上に乗せた場合に好適であるとともに、机以外のもの（例えば、小さめのラック等）と同一の高さに天板３０を位置させることでキャスター２８でワゴン本体２０を移動させ、机以外のものの脇に配設して、その作業面を広くすることも可能となる。
　【００３５】
　また、天板３０をワゴン本体２０の左右両側で支持するだけでワゴン本体２０上を昇降させるので、天板３０とワゴン本体２０の上板２４との間の空間に介在するものがなく、この空間の有効活用を図ることができると同時に、外見上の美観も損なわないようにすることができる。
　【００３６】
　また、昇降部材６０は、天板３０を上昇させる場合には単に天板３０を引き上げるだけで自動的に係止爪７１の没入動作を行い、天板３０を下げる場合にも天板３０の周縁部を把持すると同時に昇降レバー６２を把持して引上げれば、係止爪７１が没入して天板３０を降下させることができるので、天板３０の昇降動作が極めて簡単となり、作業効率を高めることができる。
　【００３７】
　特に、天板３０の上昇は、抜止め孔５６に出没自在の抜止め片６１６が係止することによって案内部材５０の上端からの昇降部材６０の抜出しが規制されるので、天板３０の脱落が防止され、安全性が高められている。この抜止め片６１６は、出没自在に形成されて案内部材５０内に没入可能なので、昇降部材６０について、抜止め片５６を形成するために垂直方向に延設する必要がなく、昇降部材６０のコンパクトな設計が可能となる。
　【００３８】
　さらに、昇降部材６０をワゴン本体２０上に固定したガイド部材８０に沿って昇降させることにより、案内部材５０の上端から突出した昇降部材６０がガイド部材８０に案内されるとともに、天板３０を上限位置まで引上げた場合でも、昇降部材６０の振動が規制されるので、昇降の状態とは関わりなく安定した状態で天板３０上を利用することができる。加えて、天板３０の下限位置の規制により、昇降レバー６２を把持する高さを確保して昇降レバー６２の操作をし易くすると同時に、ワゴン本体２０の上板２４の凹部２６に固定してワゴン本体２０上の加工部分を覆い隠すことにより、美観維持の役割も果たすことができる。
　【００３９】
　次に、図１１〜図１３に基づいて本発明の他の実施の形態を説明する。
　【００４０】
　本実施の形態における昇降部材６０は、図１１に示すように、ハウジング６５０とカバー６５１との組付けにより案内部材５０内を昇降可能に形成され、ハウジング６５０には、上端に昇降レバー６２の昇降を案内する案内面６６ａが形成されたレバー嵌挿部６６と、連結バー６３のスライドを案内するスライド溝６７と、突出孔６１２と、嵌挿孔６１４と、後述する抜止め片６９を収容可能な抜止め片収容孔６８とが設けられている。スライド溝６７には、弾性部材６４’を収容可能にする収容孔６７０が穿設されている。また、抜止め片収容孔６８には、案内面６１６ａと係止面６１６ｂとから成る抜止部を有する抜止め片６９が弾性部材６９０で水平方向に付勢されて収容されている。なお、カバー６５１には、抜止め片６９の抜止め部が突出可能な突出孔６５２と、係止爪支持部材７３の突起７３１が嵌挿する嵌挿孔６５３とが穿設されている。
　【００４１】
　昇降レバー６２は、両端６２ａ，６２ａが下方に向けて漸次湾曲して形成され、レバー嵌挿部６６に嵌挿するレバー基部６２０に固定されている。このレバー基部６２０には、連結バー６３のスライドを案内する案内溝６２１が設けられ、案内溝６２１に連結バー６３との連結を可能にする連結ピン６２２を突設することができる。連結バー６３は、上端側に垂直方向に向かう長孔６３０が連結ピン６２２のスライド可能な大きさに穿設されている。この長孔６３０内に、連結ピンは、常態では上端側に位置して連結することができる。連結バー６３には切欠片６３１が設けられ、収容孔６７０内に上方から弾性部材６４’に付勢された状態で収容されている。
　【００４２】
　係止部材７０は、図１１に示すように、連結部材７２０の略中央に連結バー６３と交差状態で連結するための連結ピン７２５を突設することができる。また、この連結ピン７２５は、係止爪支持部材７３に穿設されている垂直方向に向かう長孔７３５に連結可能に形成されている。また、係止爪支持部材７３には、カバー６５１の嵌挿孔６５３に嵌挿する突起７３１が対応位置に突設されている。
　【００４３】
　本実施の形態によれば、天板３０は、上述の実施の形態と同様に、天板３０を把持するだけで上昇させることができる。その際、係止爪７１の没入により、連結バー６３は弾性部材６４’の付勢力に抗して上昇するが、昇降レバー６２は、レバー基部６２０の連結ピン６２２が連結バー６３の長孔６３０内を上方から下方に向けてスライドすることによって、係止爪７１の没入動作に連動することなく、昇降レバー６２の操作が解除される。一方、天板３０を降下させるときには、昇降レバー６２を引上げることによって、長孔６３０の上端縁に当接する連結ピン６２２を上方に引き上げることになり、連結バー６３が弾性部材６４’の付勢力に抗して上方にスライドして係止爪７１が没入する。
　【００４４】
　したがって、天板３０を上昇させる際、昇降レバー６２を把持しなかった場合に、手指を天板３０と昇降レバー６２との間に位置させていたときでも、係止爪７１の没入に連動した昇降レバー６２の上方へのスライドが解除されているため、指詰めを防止することができる。
　【００４５】
　また、昇降レバー６２は、レバー基部６２０がレバー嵌挿部６６に案内されて操作可能となるので、操作時に昇降レバー６２の両端いずれかの方向（特に、ワゴン本体２０の前方）に向けて力が加わっても、スムーズな操作を可能にすることができる。しかも、連結バー６３も、レバー基部６２０の案内溝６２１，ハウジング６５０のスライド溝６７に案内されて昇降するので、昇降部材６０内での昇降操作をスムーズにすることができる。
　【００４６】
　なお、昇降レバー６２は、両端６２ａ，６２ａが下方に向けて漸次湾曲しているため、昇降レバー６２を把持するときに、前方に向けて力が加わっても、把持し続けることが容易になる。
　【００４７】
　上記いずれの実施の形態においても、昇降金具１０を学習机の脇に配設されるワゴン本体２０に適用される場合を示したが、高さ調整は自在なので、キッチンワゴン等の各種ワゴンに適用することができる。また、ワゴンに限らず袖机等の天板を使用するものに対して適用可能である。
　【００４８】
　また、案内部材５０と昇降部材６０とは、昇降部材６０に係止部材７０や抜止め片６１６等を設ける構成を示したが、案内部材５０にこれらを設ける等、上記と同様の効果が得られれば、各種構成を採用することができる。
　【００４９】
　【発明の効果】
　以上説明したように、本発明に係るワゴン用天板の昇降金具は、天板の垂直方向への動作に対し係止部材を係正孔に係止させるだけの簡単な構成で天板の高さ保持が可能となり、昇降作業が容易になり、実用性を向上させることができるとともに、同一構成のものを一対にしてワゴン本体の両側板に用いることによって昇降金具の生産コストの削減をも図ることができる。また、係止部材の出没を操作する昇降レバーについて、昇降レバー自体を操作することなく係止部材が出没する場合には、昇降レバーが連動しないようにしているため、天板を把持して昇降部材を上昇させたときに、天板と昇降レバーとの間に手指が位置していても、昇降レバーの上昇による指詰めを防止することができる。
　【００５０】
　さらに、ワゴン本体の上板上に昇降部材の昇降を案内するガイド部材を立設することにより、昇降部材の案内部材上端からの突出量が増加しても、案内部材だけでは不十分な昇降部材の振動を防止するとともに、このガイド部材を昇降レバーの把持可能な高さに形成しておくことによって天板の降下を規制するストッパーとしても機能させ、昇降レバーを確実に把持すると同時に、天板の降下動作時の指詰めを防止することもできる。なお、このガイド部材は、昇降金具の取付けに際してのワゴン本体の加工部位を隠微し、ワゴン本体の美観を維持する効果をも有する。
【図面の簡単な説明】
　【図１】
　本発明に係るワゴン用天板の昇降金具の一実施の形態を示す全体斜視図である。
　【図２】
　図１のワゴン用天板の昇降金具のワゴン本体への取付け状態を示す分解斜視図である。
　【図３】
　図１のワゴン用天板の昇降金具の各構成部品を示す分解斜視図である。
　【図４】
　図１のワゴン用天板の昇降金具のガイド部材のワゴン本体への取付けを説明する斜視図である。
　【図５】
　図１のワゴン用天板の昇降金具の昇降動作を示す全体図である。
　【図６】
　図１のワゴン用天板の昇降金具の昇降動作を示す要部説明図である。
　【図７】
　図１のワゴン用天板の昇降金具の係止爪が係止孔に当接した状態を示す要部説明図である。
　【図８】
　図１のワゴン用天板の昇降金具の係止爪の浸入状態を示す要部説明図である。
　【図９】
　図１のワゴン用天板の昇降金具の抜止め片の抜止め孔への係止動作を示す断面図である。
　【図１０】
　図１のワゴン用天板の昇降金具のワゴン本体への取付け状態を示す正面図である。
　【図１１】
　本発明に係るワゴン用天板の昇降金具の他の実施の形態を示す各構成部品を示す分解斜視図である。
　【図１２】
　図１１のワゴン用天板の昇降金具の縦断面図である。
　【図１３】
　図１１のワゴン用天板の昇降金具の昇降動作と昇降レバーとの関係を示す要部説明図である。
　【図１４】
　従来例を示す全体斜視図である。
　【符号の説明】
　１０　　　　（ワゴン用天板の）昇降金具
　２０　　　　ワゴン本体
　２４　　　　上板
　２５　　　　側板
　３０　　　　天板
　５０　　　　案内部材
　５５　　　　係止孔
　５６　　　　抜止め孔
　６０　　　　昇降部材
　６１　　　　ハウジング
　６１６　　　抜止め片
　６２　　　　昇降レバー
　６２０　　　レバー基部
　６２１　　　案内溝
　６２２　　　連結ピン
　６３　　　　連結バー
　６３０　　　長孔
　６４，６４’　　弾性部材
　６６　　　　レバー嵌挿部
　６７　　　　スライド溝
　７０　　　　係止部材
　７１　　　　係止爪
　７１０　　　案内面
　７２　　　　ガイドピン
　７３　　　　係止爪支持部材
　８０　　　　ガイド部材